(57)【要約】【課題】比較的簡単な構成で、投影装置を用いた複雑な遊技演出を行うことができる遊技機とする。【解決手段】静止情報を投影する投影装置１１０と、そこから投影された静止情報を像Ｓ１，Ｓ２として映し出すスクリーン１０１とを有する演出手段１００を備えた遊技機１０において、投影装置は、静止情報を変更できるように複数の静止情報源１８２，１９２を配置したフィルム盤１８０，１９０と、静止情報源に光を出射する光源１６０，１７０とを複数組有しており、一の光源１６０と一のフィルム盤１８０によりスクリーンに映し出された一の静止情報の像Ｓ１を減光させながら、他の光源１７０と他のフィルム盤１９０によりスクリーンの同位置に映し出された他の静止情報の像Ｓ２を増光させていくようにそれぞれの光源を制御することで、映し出される像を一の像から他の像に徐々に入れ替わるように変化させる演出を行う制御装置２１を有している。【選択図】図２１
2011239912.tif 000002
【特許請求の範囲】
【請求項１】
静止情報を投影する投影装置と、
該投影装置から投影された前記静止情報を像として映し出すスクリーンと、
を有する演出手段を備えた遊技機において、
前記投影装置は、
投影する静止情報を変更できるように複数の静止情報源を配置したフィルム盤と、
前記静止情報源に光を出射することで前記静止情報を投影して像として前記スクリーンに映し出す光源と、
を複数組有しており、
一の光源と一のフィルム盤により前記スクリーンに映し出された一の静止情報の像を減光させながら、他の光源と他のフィルム盤により前記スクリーンの同位置に映し出された他の静止情報の像を増光させていくように、それぞれの光源を制御することで、前記スクリーンに映し出される静止情報の像を、一の静止情報の像から他の静止情報の像に徐々に入れ替わるように変化させる演出を行う制御装置を有していることを特徴とする遊技機。
【発明の詳細な説明】
【技術分野】
【０００１】
本発明は遊技機に関し、特に、スクリーンに像を映し出す投影装置を有する演出手段を備えた遊技機に関するものである。
【背景技術】
【０００２】
従来、パチンコ遊技機等の遊技機には、遊技演出に用いる種々の演出手段を備えている。また、このような演出手段の１つとして、スクリーンに像を映し出す投影装置（プロジェクタ）を有しているものもある（例えば、特許文献１参照）。
【先行技術文献】
【特許文献】
【０００３】
【特許文献１】特開２００８−１６１４５８号公報
【発明の概要】
【発明が解決しようとする課題】
【０００４】
ここで、前記した特許文献１に記載されたような簡単な構成の投影装置では、当該投影装置を用いた遊技演出として極めて単純な演出しか行うことができず、遊技者がその遊技演出に飽きてしまうという問題があった。
【０００５】
また、液晶表示装置や動画を投影するプロジェクタなどの複雑な構成の装置を用いれば、複雑な遊技演出を行うことはできたが、このような場合、特に装置が複雑な構成となるため、装置が大型化してその収納場所の確保が難しくなったり、装置が複雑である故に故障しやすくなるとの虞が生じたり、装置が高価になったりする、という問題が生じていた。
【０００６】
本発明は、このような事情に鑑みてなされたものであり、比較的簡単な構成で、投影装置を用いた複雑な遊技演出を行うことができる遊技機を提供することを目的とする。
【課題を解決するための手段】
【０００７】
かかる課題を解決するために、本発明の請求項１に記載の発明は、次のような特徴を有する遊技機とした。
まず、静止情報を投影する投影装置と、そこから投影された静止情報を像として映し出すスクリーンと、を有する演出手段を備えた遊技機である。
そして、投影装置は、投影する静止情報を変更できるように複数の静止情報源を配置したフィルム盤と、静止情報源に光を出射することで静止情報を投影して像としてスクリーンに映し出す光源と、を複数組有しており、一の光源と一のフィルム盤によりスクリーンに映し出された一の静止情報の像を減光させながら、他の光源と他のフィルム盤によりスクリーンの同位置に映し出された他の静止情報の像を増光させていくように、それぞれの光源を制御することで、スクリーンに映し出される静止情報の像を、一の静止情報の像から他の静止情報の像に徐々に入れ替わるように変化させる演出を行う制御装置を有している。
【０００８】
請求項１に係る発明によれば、複数のフィルム盤と複数の光源を用いて静止情報を投影するのみの比較的単純な装置で、様々な静止情報同士によるクロスフェード効果（モーフィング効果）を有する演出を行うことができる。その結果、装置を小型化することができ、単純な機構である故に壊れ難くすることができ、高価な装置を使用せずに遊技の興趣を向上させる複雑な演出を行うことができる。
【図面の簡単な説明】
【０００９】
【図１】本発明の実施の形態におけるパチンコ遊技機を正面側からみた斜視図である。
【図２】同パチンコ遊技機を背面側からみた斜視図である。
【図３】同パチンコ遊技機の遊技盤の正面図である。
【図４】同パチンコ遊技機の投影装置を正面側からみた斜視図である。
【図５】同パチンコ遊技機の投影装置及びスクリーンの正面図である。
【図６】同パチンコ遊技機の投影装置及びスクリーンの上面図である。
【図７】同パチンコ遊技機の投影装置及びスクリーンの下面図である。
【図８】同パチンコ遊技機の投影装置及びスクリーンの左側面図である。
【図９】同パチンコ遊技機の投影装置及びスクリーンの右側面図である。
【図１０】同パチンコ遊技機の投影装置及びスクリーンの背面図である。
【図１１】同パチンコ遊技機の投影装置から光源を除いたものの左側面図である。
【図１２】図１１のＡ−Ａ断面図である。
【図１３】図１１のＢ−Ｂ断面図である。
【図１４】図１３の状態から原動車を９０°回転させた状態の図である。
【図１５】同パチンコ遊技機の投影装置の動作の仕方を示す図である。
【図１６】同パチンコ遊技機の投影装置から投影された静止情報を像としてスクリーンに映し出した状態を正面側からみた斜視図である。
【図１７】図１６の状態から静止情報の投影状態を変化させた斜視図である。
【図１８】図１６の状態から静止情報の投影状態をさらに変化させた斜視図である。
【図１９】図１６の状態から静止情報の投影状態をまたさらに変化させた斜視図である。
【図２０】同パチンコ遊技機の投影装置から投影された静止情報を像としてスクリーンに映し出した状態を背面側からみた斜視図である。
【図２１】同パチンコ遊技機の投影装置から投影した２つの静止情報をスクリーン上でクロスフェードさせる様子を示す斜視図である。
【図２２】同パチンコ遊技機の投影装置の制御に関する装置のブロック図である。
【図２３】同パチンコ遊技機の投影装置の制御に関するタイムチャートの一例を示す図である。
【発明を実施するための形態】
【００１０】
以下、本発明の実施の形態における遊技機について図面を参照しながら説明する。なお、本発明の実施の形態では、遊技機としてパチンコ遊技機を例に説明している。図１は、本発明の実施の形態におけるパチンコ遊技機１０を正面側からみた斜視図であり、図２は、同パチンコ遊技機１０を背面側からみた斜視図である。
【００１１】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、本発明の演出手段としてのプロジェクタ演出手段１００（後述）及びその他の可動役物などによる遊技演出の制御を行う、本発明の制御装置としての表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が、例えば透明ケースに収納された状態で取り付けられている。
【００１２】
具体的に、外枠１１は、パチンコホールの台島に設置されており、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１３】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１４】
窓枠１３は前枠１２の前面に装着されている。この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１５】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３の透明板１７ａに前方から覆われている。
【００１６】
遊技板３１は、その板面（遊技盤３０の盤面）等に遊技盤３０の有する各構成部材を固定するための板である。ガイドレール３２は、この遊技板３１の表面側に固定されて、この遊技板３１上に、パチンコ球の発射通路３１ａと遊技領域３１ｂとを形成する。遊技領域３１ｂには複数の障害釘３９が打ち込まれている。上述の打球槌が弾いたパチンコ球は、発射通路３１ａを通して遊技領域３１ｂ内に放出される。そして、遊技領域３１ｂ内に放出されたパチンコ球は障害釘３９に当りながら転動して遊技領域３１ｂ内を落下する転動遊技を行う。
【００１７】
遊技盤３０のほぼ中央部には、センター役物と呼ばれる装飾演出手段が設けられている。本実施の形態におけるセンター役物は、カラー液晶ディスプレイ等を用いた演出表示装置３７と、その周りに配置された装飾部材等で構成されている。このうち、演出表示装置３７は、大当り遊技状態を発生させるか否かの判定結果に基づき変動演出表示を行う広い面積の表示画面３７ａを有している。
【００１８】
また、遊技盤３０には、投影装置１１０から投影された静止情報を像としてスクリーン１０１に映し出す演出を行う本発明の演出手段としてのプロジェクタ演出手段１００が配置されており、本実施の形態では、演出表示装置３７の表示画面３７ａの右側方に配置されている。また、本実施の形態のプロジェクタ演出手段１００は、演出表示装置３７の表示画面３７ａで行われる変動演出表示などのパチンコ遊技機１０の演出制御に応じて静止情報を投影することで遊技の演出を行うようになっている。なお、プロジェクタ演出手段１００の構成及びその制御の詳細については後述する。
【００１９】
また、演出表示装置３７の下方には、パチンコ球を始動入賞口３３に入賞し易くなるように誘導する誘導路を始動入賞口３３の真上に設けた、略水平面で構成されたステージ３６が配置されている。このステージ３６には、遊技領域３１ｂの途中（本実施の形態では、演出表示装置３７の表示画面３７ａの左側の装飾部材における所定位置）から装飾部材内に設けられたワープ通路３６ａに入ったパチンコ球が誘導されるように構成されている。
【００２０】
また、遊技領域３１ｂ内において、演出表示装置３７の下方には始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されており、開閉可能な一対の可動片３３ｘを備えている。始動入賞口３３は、可動片３３ｘが閉塞されているときには開口面積が小さくなってパチンコ球が入賞し難くなり、可動片３３ｘが開放されているときには開口面積が大きくなってパチンコ球が入賞し易くなる。
【００２１】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２２】
また、大入賞口３４の下方には、遊技領域３１ｂを転動して落下してきたパチンコ球のうち、どの入賞口にも入賞しなかったパチンコ球が排出されるアウト口３８が配置されている。
【００２３】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２４】
次に、プロジェクタ演出手段１００の構成及びその制御について、図４〜図２３等を参照して、詳細に説明する。図４は、本発明の実施の形態におけるパチンコ遊技機１０のプロジェクタ演出手段１００の投影装置１１０を正面側からみた斜視図である。図５〜図１０は、本発明の実施の形態におけるパチンコ遊技機１０のプロジェクタ演出手段１００の投影装置１１０及びスクリーン１０１の正面図、上面図、下面図、左側面図、右側面図、背面図である。図１１は、本発明の実施の形態におけるパチンコ遊技機１０のプロジェクタ演出手段１００の投影装置１１０から光源１６０，１７０を除いたものの左側面図、図１２は、図１１のＡ−Ａ断面図、図１３は、図１１のＢ−Ｂ断面図、図１４は、図１３の状態から原動車１３０を９０°回転させた状態の図である。図１５は、本発明の実施の形態におけるパチンコ遊技機１００の投影装置１１０の動作の仕方を示す図である。図１６は、本発明の実施の形態におけるパチンコ遊技機１０の投影装置１１０から投影された静止情報を像としてスクリーン１０１に映し出した状態を正面側からみた斜視図であり、図１７〜図１９は、図１６の状態から静止情報の投影状態を徐々に変化させた斜視図である。図２０は、本発明の実施の形態におけるパチンコ遊技機１０の投影装置１１０から投影された静止情報を像としてスクリーン１０１に映し出した状態を背面側からみた斜視図である。図２１は、本発明の実施の形態におけるパチンコ遊技機１０の投影装置１１０から投影した２つの静止情報をスクリーン１０１上でクロスフェードさせる様子を示す斜視図である。図２２は、本発明の実施の形態におけるパチンコ遊技機１０の投影装置１１０の制御に関する装置のブロック図である。図２３は、本発明の実施の形態におけるパチンコ遊技機１０の投影装置１１０の制御に関するタイムチャートの一例を示す図である。
【００２５】
なお、各図においては、便宜上、実際の構成を簡略化したり省略したりして図示している箇所がある。例えば、図４〜図２１では、各部材に接続されて電気信号が通る電気配線の図示を省略している。また、以下の説明においては、特段の記載がない限り、各部材の表面側（前方）とはパチンコ遊技機１０の正面側を指し、各部材の裏面側（後方）とはパチンコ遊技機１０の背面側を指すものとする。
【００２６】
本発明の実施の形態のプロジェクタ演出手段１００は、前記したように、静止情報を投影する投影装置１１０と、当該投影装置１１０から投影された静止情報を像として映し出すスクリーン１０１とを有している。以下、プロジェクタ演出手段１００を構成する投影装置１１０及びスクリーン１０１の構成について、詳述する。
【００２７】
まず、スクリーン１０１について説明する。スクリーン１０１は、投影装置１１０から投影された静止情報を像として映し出し、その静止情報を遊技者に視認させるものである。図１に示すように、本実施の形態のスクリーン１０１は、遊技盤３０の前方に配置された透明板１７ａにおける、演出表示装置３７の表示画面３７ａの右側方の位置に、裏面側から半透明シートを貼り付けることでスクリーン１０１として機能するように構成されており、このスクリーン１０１により静止情報が透明板１７ａに所謂ヘッドアップディスプレイのように映し出されるようになっている。また、本実施の形態のスクリーン１０１は、投影装置１１０から投影された静止情報が背面側に映し出され、その映し出された静止情報を透過（半透過）させてスクリーン１０１を挟んだ正面側から遊技者が視認するように構成された、所謂リアタイプスクリーンである。また、本実施の形態のスクリーン１０１は、略方形状に形成されており、センター役物の装飾部材における演出表示装置３７の表示画面３７ａの右側方の範囲に収まるような大きさに形成されている。
【００２８】
次に、投影装置１１０について説明する。投影装置１１０は、文字や画像等の静止情報をスクリーン１０１に向けて投影する装置である。図６等に示すように、本発明の実施の形態の投影装置１１０は、動力源１２０、原動車１３０、第１従動車１４０及び第２従動車１５０の２つの従動車からなる駆動機構と、第１従動車１４０に搭載された第１フィルム円盤１８０及び第２従動車１５０に搭載された第２フィルム円盤１９０の２つのフィルム盤と、第１光源１６０及び第２光源１７０の２つの光源とを有する構成となっている。以下、それぞれの構成について、詳細に説明する。
【００２９】
なお、本発明の従動車としての第１従動車１４０と第２従動車１５０の構成は、互いを左右に反転させたものとほぼ同様の構成であるので、第１従動車１４０について以下に詳細に説明し、第２従動車１５０については詳細な説明を省略する。すなわち、第１従動車本体１４１と第２従動車本体１５１、本発明の従動車回動軸としての第１従動車回動軸１４２と第２従動車回動軸１５２、本発明の従動車回動面としての第１従動車回動面１４３と第２従動車回動面１５３、本発明の溝部としての第１溝部１４４と第２溝部１５４、第１被案内部１４５と第２被案内部１５５等は、それぞれ互いを左右反転させたものとほぼ同様の構成となっている。
【００３０】
また、本発明のフィルム盤としての第１フィルム円盤１８０と第２フィルム円盤１９０の構成も、互いを左右に反転させたものとほぼ同様の構成であるので、第１フィルム円盤１８０について以下に詳細に説明し、第２フィルム円盤１９０については詳細な説明を省略する。すなわち、第１フィルム円盤本体１８１と第２フィルム円盤本体１９１、本発明の静止情報源としての第１フィルム１８２と第２フィルム１９２、本発明の回動面としての第１フィルム円盤回動面１８３と第２フィルム円盤回動面１９３等は、それぞれ互いを左右反転させたものとほぼ同様の構成となっている。
【００３１】
また、本発明の光源としての第１光源１６０と第２光源１７０、第１光源１６０の第１ＬＥＤ１６１と第２光源１７０の第２ＬＥＤ１７１の構成についても、互いを左右に反転させたものとほぼ同様の構成であるので、第１光源１６０及び第１ＬＥＤ１６１について以下に詳細に説明し、第２光源１７０及び第２ＬＥＤ１７１については詳細な説明を省略する。
【００３２】
動力源１２０は、原動車１３０及び２つの従動車１４０，１５０等、プロジェクタ演出手段１００における動的要素を作動させる動力を供給する手段である。本発明の実施の形態における投影装置１１０の第１フィルム円盤１８０及び第２フィルム円盤１９０は、両方とも、この動力源１２０から供給される動力によって間歇的に作動するようになっている。図４，図１２，図２２等に示すように、本発明の実施の形態の動力源１２０は、本発明の制御装置としての表示演出サブ基板２１からの信号でモータ１２１を所定量回動させ、このモータ１２１の回動により、モータ１２１に接続された回動軸の先端に固定された第１ピニオンギア１２２が所定量回動するようになっている。
【００３３】
原動車１３０は、動力源１２０の動力により回動し、その回動に応じて第１従動車１４０及び第２従動車１５０を間歇的に回動させるものである。図８，図１０等に示すように、本発明の実施の形態の原動車１３０は、略円盤状に形成された原動車本体１３１を有しており、この原動車本体１３１の表面側に、動力源１２０の動力により原動車回動軸１３６を中心に回動する原動車回動面１３５を有している。また、図１１，図１２に示すように、原動車本体１３１の裏面側に、動力源１２０に固定された第１ピニオンギア１２２と歯合する第２ピニオンギア１３３が固定配置されており、この第２ピニオンギア１３３を介して動力源１２０の動力を原動車１３０に伝えるようになっている。
【００３４】
また、図４，図５，図１３〜図１５に示すように、原動車本体１３１の表面側の原動車回動面１３５には、原動車回動軸１３６から外れた位置に、駆動用突部１３２が突出形成されている。さらに、図１３〜図１５等に示すように、原動車本体１３１の表面側には、原動車回動軸１３６を中心軸とした略円柱形状の案内部１３４が突出形成されている。なお、駆動用突部１３２と案内部１３４の配置関係としては、駆動用突部１３２が、原動車回動面１３５における案内部１３４の形成箇所より周縁部側に形成されるように構成されている。また、駆動用突部１３２及び案内部１３４の動作等の詳細については、後述する。
【００３５】
本発明の従動車としての第１従動車１４０は、動力源１２０の動力により作動する原動車１３０の回動に応じて、本発明の従動車回動軸としての第１従動車回動軸１４２を中心に所定量（一定角度）ずつ間歇的に回動するものである。そして、この間歇的な回動により、当該第１従動車１４０に搭載された第１フィルム円盤１８０を間歇的に回動させるものである。図６，図７，図９，図１０，図１３〜図１５に示すように、本発明の実施の形態の第１従動車１４０は、略星形の第１従動車本体１４１を有している。この第１従動車本体１４１の表面側には、第１従動車回動軸１４２を中心に回動すると共に第１フィルム円盤１８０を搭載する本発明の従動車回動面としての第１従動車回動面１４３を有しており、この第１従動車回動面１４３は、原動車１３０の原動車回動面１３５と平行になるように配置されている。なお、第１従動車回動軸１４２は、原動車１３０の原動車回動軸１３６、第２従動車回動軸１５２とそれぞれ平行に配置されていると共に、それぞれ異なる位置（同軸とならない様に所定距離離れた位置）に配置されている。
【００３６】
また、図１０，図１３〜図１５に示すように、第１従動車本体１４１の第１従動車回動面１４３には、その周縁部から第１従動車回動軸１４２に向かって、一定角度毎に複数の本発明の溝部としての第１溝部１４４が形成されている。この第１溝部１４４は、原動車１３０の駆動用突部１３２を挿入可能な大きさ、形状及び位置に形成されている。本発明の実施の形態では、５つの第１溝部１４４が第１従動車本体１４３上で均等間隔（第１従動車回動軸１４２を中心として７２°毎（３６０°÷５＝７２°））に形成されており、この５つの第１溝部１４４により、第１従動車本体１４１が略星形となっている。
【００３７】
ここで、図１３，図１４等に示すように、前記した駆動用突部１３２は、第１従動車１４０の第１溝部１４４及び第２従動車１５０の第２溝部１５４の双方の溝部に挿入可能な大きさ、形状及び位置に形成されており、原動車１３０の原動車回動面１３５の回動と共に回動するようになっている。そして、原動車１３０の回動と共に駆動用突部１３２が所定量回動することで、この駆動用突部１３２が、第１従動車１４０の第１溝部１４４又は第２従動車１５０の第２溝部１５４に挿し込まれる方向に動きながら、第１溝部１４４又は第２溝部１５４と接する箇所を押して第１従動車１４０又は第２従動車１５０を所定量回動させる。さらに、駆動用突部１３２の一連の回動の流れの中で、駆動用突部１３２が第１溝部１４４又は第２溝部１５４に対して挿入可能な最奥位置まで挿入されたら、駆動用突部１３２が、第１溝部１４４又は第２溝部１５４から抜き出される方向に動きながら、第１溝部１４４又は第２溝部１５４と接する箇所を押して第１従動車１４０又は第２従動車１５０を所定量回動させる。そして、このように原動車１３０と第１従動車１４０又は第２従動車が動いた結果、第１従動車１４０又は第２従動車１５０を必要な一定角度分だけ間歇的に回動させる構造になっている。なお、第１溝部１４４及び第２溝部１５４は、駆動用突部１３２が最奥位置まで挿入されても奥側の壁面までは到達しない程度の深さに形成されていると共に、駆動用突部１３２が挿し込まれながら又は抜き出されながらその側壁に接して押すことができる程度の幅に形成されている。
【００３８】
また、図１３〜図１５に示すように、第１従動車本体１４１における第１溝部１４４を形成すると共に第１溝部１４４同士を仕切る部分の周縁部側には、第１従動車１４０が間歇的に回動する際に、原動車１３０の案内部１３４に当接して沿う第１被案内部１４５が形成されている。この第１被案内部１４５は、案内部１３４に当接する箇所の形状が、略円柱形状の案内部１３４の側面のカーブした曲面形状に合わせるように、同様の曲面形状に形成されている。
【００３９】
そして、前記した案内部１３４と、第１被案内部１４５及び第２被案内部１５５を有することにより、駆動用突部１３２を用いて第１従動車１４０及び第２従動車１５０を間歇的に回動させる際に、案内部１３４の曲面形状に形成された側面に、第１従動車１４０の第１被案内部１４５及び第２従動車１５０の第２被案内部１５５を当接させて沿わせ、その状態で第１従動車１４０及び第２従動車１５０を回動させることができる。これにより、第１従動車１４０及び第２従動車１５０の回動をスムーズに行えるようにすると共に、それぞれの従動車１４０，１５０に搭載された第１フィルム円盤１８０及び第２フィルム円盤１９０が回動時にガタついたりブレたりしないようにすることができるものである。
【００４０】
また、第１従動車１４０が配置される位置及び第１従動車１４０における第１従動車本体１４１の大きさ及び形状は、原動車１３０の配置される位置及び原動車１３０における駆動用突部１３２の配置される位置，大きさ，形状に対し、当該原動車１３０の駆動用突部１３２が、第１従動車本体１４１の第１溝部１４４に挿し込まれてから抜き出される間に、第１従動車１４０が丁度所定の間歇的な回動を行うことできる位置とされている。本発明の実施の形態では、第１従動車１４０が１回の間歇的な回動で７２°の回動を行うようにそれぞれが設定されている。
【００４１】
また、図４〜図７，図９，図１０，図１５〜図２０に示すように、第１従動車本体１４１の第１従動車回動面１４３には、本発明のフィルム盤としての第１フィルム円盤１８０が搭載されている。この第１フィルム円盤１８０は、正面視略円形状の第１フィルム円盤本体１８１を有しており、その第１フィルム円盤本体１８１には、本発明の回動面としての第１フィルム円盤回動面１８３が略円形状に形成されている。また、図１０，図１５，図２０に示すように、第１フィルム円盤１８０は、その第１フィルム円盤本体１８１の第１フィルム円盤回動面１８３の中心が第１従動車回動軸１４２と一致するように第１従動車本体１４１の第１従動車回動面１４３に固定されており、動力源１２０の動力によって、原動車１３０を介し、第１従動車１４０の間歇的な回動と共に間歇的に回動するようになっている。また、第１フィルム円盤回動面１８３の大きさは、少なくとも第１従動車本体１４１の第１従動車回動面１４３よりも大きくなるように形成されており、その第１フィルム円盤回動面１８３における第１従動車回動面１４３より外側に突出した位置となる周縁部に沿って一定角度毎に本発明の静止情報源としての第１フィルム１８２が複数配置されている。
【００４２】
また、図７，図９等に示すように、本発明の光源としての第１光源１６０が、第１フィルム円盤１８０の背面側（第１従動車１４０側）に配置されている。この第１光源１６０は、第１フィルム円盤１８０の静止情報源としての第１フィルム１８２に向けて第１従動車１４０側から光を出射して、第１フィルム１８２から静止情報を投影して像としてスクリーン１０１に映し出すものである。
【００４３】
また、この第１光源１６０は、第１フィルム円盤１８０が間歇的な回動を行った後に停止した際に、何れかの第１フィルム１８２に光を出射してスクリーン１０１に丁度、静止情報の像Ｓ１を映し出すことができる位置に配置されている。本発明の実施の形態では、図１５に示すように、投影装置１１０の外側位置となるパチンコ遊技機１０の正面側からみて右側下方に停止する第１フィルム１８２の静止情報をスクリーン１０１に投影するために、第１光源１６０は、第１フィルム円盤１８０の第１フィルム円盤回動面１８３の右側下方の背面側に配置されている。また、本発明の実施の形態の第１光源１６０には、多色発光可能な第１ＬＥＤ１６１が搭載されており、同じ種類の静止情報をスクリーン１０１に映し出す際でも、色を変えて映し出す（又は、色を変えながら映し出す）ことができるようになっている。
【００４４】
さらに、本発明の実施の形態では、第１光源１６０の第１ＬＥＤ１６１のそれぞれ光を出射する方向が、パチンコ遊技機１０の真っ直ぐ前方より互いの光源の方向に所定角度傾斜している（すなわち、互いの光の出射方向が内側に向いている）。これにより、それぞれのフィルム盤１８０，１９０のフィルム１８２，１９２から投影される静止情報を、スクリーン１０１の同じ位置に像Ｓ１，Ｓ２として重ねて映し出すことができるようになっている。
【００４５】
このように、第１フィルム円盤１８０における第１フィルム円盤本体１８１の第１フィルム円盤回動面１８３を、第１従動車回動軸１４２を中心に間歇的に回動させることで、第１フィルム円盤１８０の第１フィルム円盤回動面１８３上の複数の静止情報源としての第１フィルム１８２を間歇的に回動させて、第１光源１６０の第１ＬＥＤ１６１の光を当てる第１フィルム１８２を変更する構成となっており、これにより、投影される静止情報を次々と変更できるようになっている。本発明の実施の形態では、図１５に示すように、第１フィルム円盤１８０の第１フィルム円盤回動面１８３における第１従動車回動面１４３より外側に突出した位置となる周縁部に沿って、５つの第１フィルム１８２が７２°毎に均等かつ連続的に配置されて環状になっており、５つの第１溝部１４４が７２°毎に形成された第１従動車本体１４１を有する第１従動車１４０の１回の間歇的な回動に応じて、第１フィルム１８２が１つ分ずつ間歇的に回動するようになっている。
【００４６】
そして、第１フィルム円盤１８０が１回の間歇的な回動後に停止した際に、第１光源１６０の第１ＬＥＤ１６１から、当該第１ＬＥＤ１６１の前方に停止した第１フィルム１８２に対して光を出射することで、光が当該第１フィルム１８２を透過して第１フィルム１８２の静止情報を投影し、スクリーン１０１に静止情報の像Ｓ１を映し出すものである。
【００４７】
なお、第１フィルム円盤１８０を始めとする複数のフィルム盤は、第１従動車１４０を始めとする複数の従動車毎の従動車回動面に搭載されており、それぞれの従動車と共に間歇的に回動するように構成されている。また、第１光源１６０を始めとする複数の光源は、第１フィルム円盤１８０を始めとする複数のフィルム盤毎に配設されており、それぞれのフィルム盤に配置された静止情報源としての複数のフィルムに光を当てるように構成されている。
【００４８】
次に、前記したプロジェクタ演出手段１００を用い、本発明の制御装置としての表示演出サブ基板２１の制御によって行われるクロスフェード（モーフィング）効果を有する遊技演出について、図１６〜図２３を用いて説明する。ここで、プロジェクタ演出手段１００を用いた遊技演出を行うタイミングとしては、パチンコ遊技機１０の遊技状態が所定の状態（例えば、大当り状態、リーチ状態、予告状態、または特に前記したような特別な状態でない通常の遊技状態等）となった適宜のタイミングである。ここで、図２２に示すように、主制御基板２３から表示演出サブ基板２１に対して、前記したような遊技状態においてプロジェクタ演出手段１００を用いた遊技演出を行うように指示する制御信号が送られた場合には、当該信号を受信した表示演出サブ基板２１は、予め記録されているシーケンスデータの中から当該信号に該当するデータを呼び出し、これを用いてプロジェクタ演出手段１００の投影装置１１０（特には、駆動源１２０のモータ１２１、第１光源１６０の第１ＬＥＤ１６１、第２光源１７０の第２ＬＥＤ１７１）に対して、予め定められた所定のシーケンス制御信号が、定められた時間等に応じて送られ、例えば以下に説明するような遊技演出の表示を行う。
【００４９】
まず、表示演出サブ基板２１から、図２３の（１）に示すように、本発明の一の光源としての第１光源１６０の第１ＬＥＤ１６１に最大出力で光を出射するように指示する制御信号を出しながら、本発明の他の光源としての第２光源１７０の第２ＬＥＤ１７１に光を出射しないように指示する制御信号を出した状態で、駆動源１２０のモータ１２１に動作を開始させる制御信号を出す。すると、図１６，図２１（ａ）に示すように、第１従動車１４０に搭載された本発明の一のフィルム盤としての第１フィルム円盤１８０に配置された第１フィルム１８２のうち、第１光源１６０の第１ＬＥＤ１６１の前方に位置するものに対して第１ＬＥＤ１６１から最大出力で光を出射して、スクリーン１０１に本発明の一の静止情報としての第１静止情報（ここでは「臨」の文字）を像Ｓ１として明確に映し出す。また、第２光源１７０の第２ＬＥＤ１７１からは光が出射されないため、第２従動車１５０に搭載された本発明の他のフィルム盤としての第２フィルム円盤１９０に配置された第２フィルム１９２からは、スクリーン１０１に本発明の他の静止情報としての第２静止情報の像Ｓ２は映し出されない。また、動力源１２０のモータ１２１を駆動させて、原動車１３０を正面側から見て左回りに回動させ、駆動用突部１３２を上部から下部に左回りに移動させる。その原動車１３０の駆動用突部１３２によって、第２従動車１５０が正面側から見て右回りに回動を開始する。
【００５０】
その後、所定時間が経過した後に、表示演出サブ基板２１から、図２３の（２）に示すように、第２光源１７０の第２ＬＥＤ１７１に光を出射しないように指示する制御信号を出し、駆動源１２０のモータ１２１にその後一定時間が経過するまで動作を継続するように制御信号を出しながら、第１光源１６０の第１ＬＥＤ１６１に、出射する光を徐々に弱くするように指示する制御信号を出す。すると、図１７に示すように、第１従動車１４０に搭載された第１フィルム円盤１８０に配置された第１フィルム１８２のうち、第１光源１６０の第１ＬＥＤ１６１の前方に位置するものに対して第１ＬＥＤ１６１から出射する光が徐々に減光され、スクリーン１０１に映し出された第１静止情報（ここでは「臨」の文字）の像Ｓ１が薄くなっていく。また、図１６と同様に、第２光源１７０の第２ＬＥＤ１７１からは光が出射されないため、第２従動車１５０に搭載された第２フィルム円盤１９０に配置された第２フィルム１９２からは、スクリーン１０１に第２静止情報の像Ｓ２は映し出されない。また、動力源１２０のモータ１２１は駆動し続け、原動車１３０を正面側から見て左回りに動作開始から１８０°回動させるまで、駆動用突部１３２を上部から下部に左回りに移動させる。その原動車１３０の駆動用突部１３２によって、第２従動車１５０が正面側から見て７２°右回りに回動する。その結果、第２従動車１５０に搭載された第２フィルム円盤１９０が７２°右回りに間歇的に回動する。これにより、５つ配置された第２フィルム１９２の位置が１つ分ずれることとなる。
【００５１】
その後、さらに所定時間が経過した後に、表示演出サブ基板２１から、図２３の（３）に示すように、駆動源１２０のモータ１２１に動作を停止し続けるように制御信号を出し、第１光源１６０の第１ＬＥＤ１６１に、出射する光を徐々に弱くするように指示する制御信号を出しながら、第２光源１７０の第２ＬＥＤ１７１に、光を出射して徐々に強くするように指示する制御信号を出す。すると、図１８，図２１（ｂ）に示すように、第１従動車１４０に搭載された第１フィルム円盤１８０に配置された第１フィルム１８２のうち、第１光源１６０の第１ＬＥＤ１６１の前方に位置するものに対して第１ＬＥＤ１６１から出射する光が完全に消えるまで減光され、スクリーン１０１に映し出された第１静止情報（ここでは「臨」の文字）の像Ｓ１が完全に消えるまで薄くなっていく。また、第２従動車１５０に搭載された第２フィルム円盤１９０に配置された第２フィルム１９２のうち、第２光源１７０の第２ＬＥＤ１７１の前方に位置するものに対して第２ＬＥＤ１７１から出射される光が徐々に増光され、スクリーン１０１に第２静止情報（ここでは「兵」の文字）の像Ｓ２が徐々に濃くなるように映し出されていく。そして、第１静止情報の像Ｓ１が消えるまでの間は、スクリーン１０１に第１静止情報の像Ｓ１と第２静止情報の像Ｓ２が重なるように表示されることとなる。
【００５２】
その後、またさらに所定時間が経過した後に、表示演出サブ基板２１から、図２３の（４）に示すように、駆動源１２０のモータ１２１に動作を停止し続けるように制御信号を出し、第１光源１６０の第１ＬＥＤ１６１に、光を出射しない指示する制御信号を出しながら、第２光源１７０の第２ＬＥＤ１７１に、出射する光を徐々に強くするように指示する制御信号を出す。すると、図１９，図２１（ｃ）に示すように、第２従動車１５０に搭載された第２フィルム円盤１９０に配置された第２フィルム１９２のうち、第２光源１７０の第２ＬＥＤ１７１の前方に位置するものに対して第２ＬＥＤ１７１から出射される光がさらに増光され、スクリーン１０１に第２静止情報（ここでは「兵」の文字）の像Ｓ２が徐々に濃く明確になるように映し出されていく。また、第１光源１６０の第１ＬＥＤ１６１からは光が出射されないため、第１従動車１４０に搭載された第１フィルム円盤１８０に配置された第１フィルム１８２からは、スクリーン１０１に第１静止情報の像Ｓ１は映し出されない。
【００５３】
このように、表示演出サブ基板２１により、スクリーン１０１に映し出される静止情報の像を、第１静止情報の像Ｓ１から第２静止情報の像Ｓ２に徐々に入れ替わるように変化させるクロスフェード（モーフィング）効果を有する演出を行うように制御する。
【００５４】
また、この後、続けて次のような遊技演出を行っても良い。以下、説明する。
【００５５】
まず、前記した図２１（ｃ），図２３の（４）の状態である、第２従動車１５０に搭載された第２フィルム円盤１９０に配置された第２フィルム１９２のうち、第２光源１７０の第２ＬＥＤ１７１の前方に位置するものに対して第２ＬＥＤ１７１から光を出射して、スクリーン１０１に第２静止情報（ここでは「兵」の文字）を像Ｓ２として映し出した状態から、表示演出サブ基板２１から動力源１２０に制御信号を送って駆動させ、原動車１３０を正面側から見て左回りに１８０°回動させて、駆動用突部１３２を下部から上部に左回りに移動させる。その原動車１３０の駆動用突部１３２によって、第１従動車１４０が正面側から見て７２°右回りに間歇的に回動し、第１従動車１４０に搭載された第１フィルム円盤１８０を７２°右回りに間歇的に回動させる。これにより、５つ配置された第１フィルム１８２の位置が１つ分ずれることとなる。
【００５６】
この間に、第２光源１７０からの光の出射を徐々に減光させていき、第１フィルム円盤１８０が停止したら、表示演出サブ基板２１から第１光源１６０に制御信号を送り、第１フィルム円盤１８０に配置された第１フィルム１８２のうち、第１光源１６０の第１ＬＥＤ１６１の前方に位置するものに対して第１ＬＥＤ１６１から光を徐々に増光させるように出射して、スクリーン１０１の同位置に第１静止情報（ここでは「闘」の文字）を像Ｓ１として映し出し、徐々に減光させている第２静止情報の「兵」の文字の像Ｓ２と重ねて表示する。
【００５７】
その後、第２光源１７０からの光を減光させ続けると共に、第１光源１６０からの光を増光させ続けることで、スクリーン１０１から第２静止情報の「兵」の文字の像Ｓ２が消えて、第１静止情報の「闘」の文字の像Ｓ１のみが残って表示される状態となる。このように、表示演出サブ基板２１により、スクリーン１０１に映し出される静止情報の像を、第２静止情報の像Ｓ２から第１静止情報の像Ｓ１に徐々に入れ替わるように変化させるクロスフェード（モーフィング）効果を有する演出を行うように制御する。
【００５８】
なお、前記したような第１静止情報の像Ｓ１→第２静止情報の像Ｓ２→第１静止情報の像Ｓ１…というクロスフェード（モーフィング）効果を有する遊技演出をさらに繰り返して、次々に静止情報が入れ替わっていく遊技演出を行うようになっていても良い。
【００５９】
以上のように、本実施の形態のパチンコ遊技機（遊技機）１０は、静止情報を投影する投影装置１１０と、該投影装置１１０から投影された前記静止情報を像Ｓ１，Ｓ２として映し出すスクリーン１０１と、を有するプロジェクタ演出手段（演出手段）１００を備えたパチンコ遊技機（遊技機）１０において、前記投影装置１１０は、投影する静止情報を変更できるように複数のフィルム（静止情報源）１８２，１９２を配置したフィルム盤１８０，１９０と、前記フィルム（静止情報源）１８２，１９２に光を出射することで前記静止情報を投影して像Ｓ１，Ｓ２として前記スクリーン１０１に映し出す光源１６０，１７０と、を複数組有しており、第１光源（一の光源）１６０と第１フィルム円盤（一のフィルム盤）１８０により前記スクリーン１０１に映し出された一の静止情報の像Ｓ１を減光させながら、第２光源（他の光源）１７０と第２フィルム円盤（他のフィルム盤）１９０により前記スクリーン１０１の同位置に映し出された他の静止情報の像Ｓ２を増光させていくように、それぞれの光源１６０，１７０を制御することで、前記スクリーン１０１に映し出される静止情報の像Ｓ１，Ｓ２を、一の静止情報の像Ｓ１から他の静止情報の像Ｓ２に徐々に入れ替わるように変化させる演出を行う表示演出サブ基板（制御装置）２１を有していることを特徴とする。
【００６０】
そして、本実施の形態のパチンコ遊技機（遊技機）１０によれば、複数のフィルム盤１８０，１９０と複数の光源１６０，１７０を用いて静止情報を投影するのみの比較的単純な装置で、様々な静止情報同士によるクロスフェード効果（モーフィング効果）を有する演出を行うことができる。その結果、装置を小型化することができ、単純な機構である故に壊れ難くすることができ、高価な装置を使用せずに遊技の興趣を向上させる複雑な演出を行うことができる。
【００６１】
また、本実施の形態のパチンコ遊技機（遊技機）１０は、静止情報を投影する投影装置１１０と、該投影装置１１０から投影された前記静止情報を像Ｓ１，Ｓ２として映し出すスクリーン１０１と、を有するプロジェクタ演出手段（演出手段）１００を備えたパチンコ遊技機（遊技機）１０において、前記投影装置１１０は、一の動力源１２０と、該動力源１２０の動力により回動する原動車回動面１３５を有すると共に、該原動車回動面１３５の原動車回動軸１３６から外れた位置に突出した駆動用突部１３２を有する一以上の原動車１３０と、前記原動車回動面１３５と平行な従動車回動面１４３，１５３を有し、該従動車回動面１４３，１５３の周縁部から従動車回動軸１４２，１５２に向かって一定角度毎に前記駆動用突部１３２が挿入可能な複数の溝部１４４，１５４が形成された複数の従動車１４０，１５０と、を有し、前記原動車回動軸１３６と前記従動車回動軸１４２，１５２は、それぞれ平行かつ異なる位置に配置されており、前記駆動用突部１３２が、前記原動車１３０の回動と共に回動しながら前記従動車１４０，１５０の何れかの前記溝部１４４，１５４に挿入された後に抜き出されることで、一定角度ずつ前記従動車１４０，１５０を間歇的に回動させる駆動機構と、前記複数の従動車１４０，１５０毎の前記従動車回動面１４３，１５３に搭載されて前記従動車１４０，１５０と共に間歇的に回動し、前記従動車回動面１４３，１５３より大きなフィルム円盤回動面（回動面）１８３，１９３を有し、当該フィルム円盤回動面（回動面）１８３，１９３における前記従動車回動面１４３，１５３より突出した位置に、前記静止情報として投影可能な複数のフィルム（静止情報源）１８２，１９２を配置した複数のフィルム盤１８０，１９０と、該複数のフィルム盤１８０，１９０毎に異なる位置に配設され、それぞれのフィルム盤１８０，１９０の前記フィルム（静止情報源）１８２，１９２に向けて光を出射して、それぞれの前記静止情報を投影して像Ｓ１，Ｓ２として前記スクリーン１０１に映し出す複数の光源１６０，１７０と、を有することを特徴とする。
【００６２】
そして、本実施の形態のパチンコ遊技機（遊技機）１０によれば、間歇機構を用いた比較的単純な機構で、スクリーン１０１に複数種類の静止像を次々に映し出すような演出を行うことができ、その結果、装置を小型化することができ、単純な機構である故に壊れ難くすることができ、高価な装置を使用せずに遊技の興趣を向上させることができる。
【００６３】
さらに、複数の従動車１４０，１５０を有すると共に、それぞれの従動車１４０，１５０のフィルム盤１８０，１９０に対する光源１６０，１７０を有しているため、複数の静止情報を同時又は素早く切り替えてスクリーン１０１に映し出すことができ、比較的単純な機構でより複雑な演出を行うことができる。しかも、一の動力源１２０で複数の従動車１４０，１５０を間歇的に回動させることができるため、複数の動力源で複数の従動車１４０，１５０を動かす場合に比べて、モータ等の動力源から発する熱量を少なくすることができ、また、装置をより小型化することができる。
【００６４】
なお、以上説明した各実施の形態は、本発明の理解を容易にするために記載されたものであって、本発明を限定するために記載されたものではない。
【００６５】
例えば、前記した実施の形態では、遊技機としてパチンコ遊技機を用いて説明したが、これに限るものではなく、本発明は、パチスロ遊技機等の他の遊技機にも適用可能である。
【００６６】
また、前記した実施の形態では、スクリーン１０１は略方形状の形に形成されていたが、本発明はこれに限るものではなく、スクリーンが円形や楕円形等、他の形状に形成されていても良い。また、前記した実施の形態では、スクリーン１０１は遊技盤３０の前方に配置された透明板１７ａの裏面側に半透明シートを貼り付けてスクリーンとする構成であったが、本発明はこれに限るものではなく、独立した１枚のシート等、投影装置１１０から投影された静止情報を像として映し出すことが可能な適宜のもので良い。
【００６７】
また、スクリーンの大きさや配置する位置も適宜で良く、例えば、遊技盤の上方や下方などに配置されていても良いし、演出表示装置３７の表示画面３７ａと丁度重なる位置及び大きさにスクリーンが配置されていて、液晶画面等の表示と重なって投影装置からの静止情報を映し出したり、液晶画面等の表示と投影装置からの静止情報とを交互に表示したりするようになっていても良い。
【００６８】
また、前記した実施の形態のスクリーン１０１はリアタイプスクリーンであったが、本発明はこれに限るものではなく、スクリーンは、投影された静止情報を正面側から受けて、当該正面側からその静止情報を遊技者が視認する、所謂フロントタイプスクリーンであっても良い。この場合には、スクリーンを遊技盤のより後方側に配置してスクリーンの前面側から静止情報を投影するような構成とするか、スクリーンを遊技盤のより前方側に配置するときには、ミラー等を用いて静止情報の投影方向や投影位置を変化させてスクリーンの前面側から静止情報を投影するような構成とする必要がある。
【００６９】
また、前記した実施の形態では、投影装置１１０の動力源１２０はモータ１２１を用いたものであったが、これに限るものではなく、静止情報源としてのフィルムを所望の状態に移動できるものであれば、ソレノイド等の他の動力源を用いても良い。また、動力源の大きさや配置箇所等についても適宜で良い。
【００７０】
また、前記した実施の形態では、フィルム盤に光を出射する光源は、従動車が配置されている側にあったが、本発明はこれに限るものではなく、光源からの光がフィルム盤のフィルム（静止情報源）の静止情報をスクリーンに対して投影可能な位置関係であれば、光源の位置は、従動車が配置されている側と反対側であっても良い。
【００７１】
また、前記した実施の形態では、１つの動力源１２０で作動する１つの原動車１３０に対応して２つの従動車１４０，１５０が間歇的に回動し、それぞれの従動車１４０，１５０に搭載された２つのフィルム盤１８０，１９０が従動車１４０，１５０と一緒に間歇的に回動すると共に、２つのフィルム盤１８０，１９０毎にそれぞれのフィルム盤１８０，１９０上のフィルム（静止情報源）１８２，１９２に光を出射する光源１６０，１７０を備えている構成となっていたが、本発明はこれに限るものではない。例えば、１つの動力源で作動する１つの原動車１３０に対応してそれぞれフィルム盤を搭載した３つ以上の従動車が間歇的に回動し、それぞれのフィルム盤毎に光源を備えている構成となっていても良い。また、１つの動力源で２つ以上の原動車が作動するようになっており、それぞれの原動車にフィルム盤を搭載した１つ以上の従動車が対応するようになっており、それぞれのフィルム盤毎に光源を備えている構成となっていても良い。さらに、動力源を２つ以上有していて、それぞれの動力源に対して１つ以上の原動車が作動し、それらの原動車にフィルム盤を搭載した１つ以上の従動車が対応するようになっており、それぞれのフィルム盤毎に光源を備えている構成となっていても良い。
【００７２】
また、前記した実施の形態では、２つの従動車のフィルム盤から同時に異なる静止情報を投影し、一方を減光（フェードアウト）しながら他方を増光（フェードイン）させることで、クロスフェード（モーフィング）の効果を持たせるようになっていたが、本発明はこれに限るものではない。例えば、２つの従動車のフィルム盤には、交互に投影することで一の静止情報から他の静止情報に徐々に変化していくような、少しずつ変化させた複数の静止情報源が配置されており、２つの従動車のフィルム盤の一方だけから静止情報を投影しながら、他方は間歇的に回動させ、停止したらその他方だけから静止情報を投影して、一方はさらに間歇的に回動させる、という繰り返しの制御を行うことでモーフィング効果を有する遊技演出を行うようになっていても良い。
【００７３】
また、前記した実施の形態では、制御装置による投影装置１１０の制御方法として、一方の光源からの光を減光させて一方のフィルム盤の静止情報が徐々に薄くなるようにしながら、他方のフィルム盤を回動させ、回動が停止したら他方の光源からの光を増光させて他方のフィルム盤の静止情報が徐々に濃くなるようにしていたが、本発明はこのような制御方法に限定されるものではない。例えば、一方の光源からの光を減光させずに一方のフィルム盤の静止情報が濃い状態のまま、まず、他方のフィルム盤を回動させ、回動が停止した後で、一方の光源からの光を減光させて一方のフィルム盤の静止情報が徐々に薄くなるようにしながら、他方の光源からの光を増光させて他方のフィルム盤の静止情報を徐々に濃くなるようにしても良い。
【００７４】
また、光源からの光の増光及び減光のパターンは、前記したような光が消えるまで減光するパターン、光が最大出力になるまで増光するパターンだけでなく、減光の途中で増光させたり、増光の途中で減光させたり、というような２つの静止情報の像の双方が濃くなったり薄くなったりしながら一方の静止情報から他方の静止情報に変化していくような複雑なパターンとなっていても良い。また、このようなパターンを繰り返すようになっていても良い。
【００７５】
さらに、光源からの光の増光及び減光と、フィルム盤の回動によるフィルム（静止情報源）の変更の順序やパターンは、その他適宜で良い。
【００７６】
また、前記したように、従動車を３つ以上有している構成ならば、１つの従動車を回動させている間に、他の２つの従動車のフィルム盤から同時に静止情報を投影することが可能となる。これを用いて、少しずらした画像を同時に映し出し、これを繰り返すことでモーフィング効果を得るようにすることもでき、また、少しずらした画像で３Ｄ画像を映し出すようなことも考えられる。
【００７７】
また、前記した実施の形態の従動車１４０，１５０は、５つの静止情報を有するフィルム（静止情報源）１８２，１９２がそれぞれ等分に配置されたフィルム盤１８０，１９０を搭載しており、それに合わせて５つの溝部１４４，１５４が形成されて略星形となった従動車本体１４１，１５１を有しており、原動車１３０の回動に応じて１つのフィルム分ずつ（すなわち、３６０°÷５＝７２°ずつ）間歇的に回動する構成となっていたが、本発明はこれに限るものではない。例えば、フィルム盤が、４つ以下又は６つ以上のフィルム（静止情報源）を等分に配置した構成となっていても良い。この場合はそれに合わせて、従動車本体がそのフィルムの数に応じた数の溝部を有しており、原動車の回動に応じて従動車がそのフィルムの数に応じた角度ずつ（例えば、フィルムが６つの場合には、３６０°÷６＝６０°ずつ）間歇的に回動する構成となっているものとする。
【００７８】
また、前記した実施の形態では、フィルム盤を回動させる機構として、動力源１２０、原動車１３０、従動車１４０，１５０を有する間歇駆動機構を利用したが、本発明はこれに限るものではなく、他の間歇駆動機構を利用しても良いし、間歇駆動機構以外の駆動機構でフィルム盤を回動させるようになっていても良い。
【００７９】
また、前記した実施の形態では、フィルム盤として円盤状のフィルム円盤１８０，１９０を採用していたが、本発明はこれに限るものではなく、フィルム（静止情報源）が投影可能で回動させることが可能であれば、四角形や六角形、八角形、その他の形状のフィルム盤であっても良い。また、フィルム盤は短冊状等の回動させないような形状に形成されていても良い。また、これらの場合に１つのフィルム盤に配置するフィルム（静止情報源）の数も適宜で良い。特に、フィルム盤が短冊状等の回動させない形状の場合は、スクリーンに投影する静止情報を替えるためにフィルムを移動させる方法も直線方向への往復移動等、フィルム盤の形状に合わせた移動法が採用されていれば良い。
【００８０】
また、前記した実施の形態では、駆動用突部１３２と案内部１３４は原動車回動面１３６から別々に突出する構成となっていたが、これに限るものではなく、案内部と駆動用突部が一の突出部材で構成されていて、案内部から先細りした先端に駆動用突部があるような（例えば、ひょうたん型のような）形状になっていても良い。
【００８１】
また、前記した実施の形態における原動車の駆動用突部が、原動車回動面に対して、突出した状態と引っ込んだ状態とに出し入れ可能となっていても良い。駆動用突部の出し入れの動力源としては、ソレノイドやモータを用いたカム構造等が考えられる。このように駆動用突部を出し入れ可能とすることで、フィルム盤から投影される静止情報を、その円盤上に並んだ順番に関係なくより自由に投影することができるようになる。すなわち、一方のフィルム盤にＡ、Ｂ、Ｃ、Ｄ、Ｅの順番に静止情報源が配置されており、他方のフィルム盤にＦ、Ｇ、Ｈ、Ｉ、Ｊの順番に静止情報源が配置されている場合、前記した実施の形態では、通常、Ａ、Ｆ、Ｂ、Ｇ、Ｃ、Ｈ、Ｄ、Ｉ、Ｅ、Ｊの順番に静止情報が投影される。しかし、駆動用突部が出し入れ可能となっていると、例えば、一方のフィルム盤からＡを投影している間に原動車を２回転させ、その際に駆動用突部を、他方のフィルム盤と交わるときだけ突出させ、一方のフィルム盤と交わるときには引っ込ませるようにすれば、一方のフィルム盤は回動させずに、他方のフィルム盤だけ静止情報２つ分回動させることができる。その結果、一方のフィルム盤からＡを投影した後に、他方のフィルム盤からＦでなくＧを投影させるように静止情報の投影順を変更することが可能となる。
【００８２】
また、前記した実施の形態では、光源として多色発光のものを使用していたが、勿論、単色発光のものを使用しても良い。
【００８３】
また、投影装置のフィルム盤とスクリーンの間にレンズ部材を有していても良い。このようにレンズ部材を有していると、スクリーンに映し出す静止情報の大きさを変化させたり、レンズに装飾が施されていれば静止情報の形等に変化を付けたりすることができるようになる。レンズ部材は、フィルム盤側に固定されていても良いし、フィルム盤とスクリーンの間の空間に配置されていても良い。また、レンズ部材が移動可能に構成されていても良い。移動可能であれば、同じ静止情報を投影する際に、レンズを介したものとレンズを介さないもので変化を付けることができる。
【００８４】
また、前記した実施の形態では、フィルム盤の静止情報源は、フィルム盤の周縁部に沿って複数の静止情報源が連続的に環状に一重に並んでいたが、本発明はこれに限るものではない。例えば、、静止情報源が、連続的に環状に配置されておらず、フィルム盤の周縁部に沿って点在するようになっていても良い。また、フィルム盤の周縁部に沿って複数の静止情報源が並ぶと共に、その内側にもう一重（又はもう二重）、複数の静止情報源が並ぶように構成されていても良い。このように、フィルム盤上に静止情報源が二重、三重に配置されていれば、より多くの静止情報をスクリーンに投影することが可能となるものである。
【符号の説明】
【００８５】
１０…パチンコ遊技機（遊技機）、２１…表示演出サブ基板（制御装置）、１００…プロジェクタ演出手段（演出手段）、１０１…スクリーン、１１０…投影装置、１２０…動力源（駆動機構）、１３０…原動車（駆動機構）、１３２…駆動用突部、１３５…原動車回動面、１３６…原動車回動軸、１４０…第１従動車（従動車，駆動機構）、１４２…第１従動車回動軸（従動車回動軸）、１４３…第１従動車回動面（従動車回動面）、１４４…第１溝部（溝部）、１５０…第２従動車（従動車，駆動機構）、１５２…第２従動車回動軸（従動車回動軸）、１５３…第２従動車回動面（従動車回動面）、１５４…第２溝部（溝部）、１６０…第１光源（一の光源，光源）、１７０…第２光源（他の光源，光源）、１８０…第１フィルム円盤（一のフィルム盤，フィルム盤）、１８２…第１フィルム（フィルム，静止情報源）、１８３…第１フィルム円盤回動面（回動面）、１９０…第２フィルム円盤（他のフィルム盤，フィルム盤）、１９２…第２フィルム（フィルム，静止情報源）、１９３…第２フィルム円盤回動面（回動面）
【図１】
2011239912.tif 000003
【図２】
2011239912.tif 000004
【図３】
2011239912.tif 000005
【図５】
2011239912.tif 000006
【図６】
2011239912.tif 000007
【図７】
2011239912.tif 000008
【図８】
2011239912.tif 000009
【図９】
2011239912.tif 000010
【図１０】
2011239912.tif 000011
【図１１】
2011239912.tif 000012
【図１２】
2011239912.tif 000013
【図１３】
2011239912.tif 000014
【図１４】
2011239912.tif 000015
【図１５】
2011239912.tif 000016
【図１６】
2011239912.tif 000017
【図１７】
2011239912.tif 000018
【図１８】
2011239912.tif 000019
【図１９】
2011239912.tif 000020
【図２０】
2011239912.tif 000021
【図２２】
2011239912.tif 000022
【図２３】
2011239912.tif 000023
【図４】
2011239912.tif 000024
【図２１】
2011239912.tif 000025